(57)【要約】【課題】セットトップボックスと携帯端末とを連携させて操作する場合、操作の実行結果をユーザが容易に確認できるようにする。【解決手段】携帯端末１４とセットトップボックス１１とで連携操作を行う際に、携帯端末１４はセットトップボックス１１に連携指示を送信し、セットトップボックス１１から返された応答を受信し、連携指示と返された応答に基づいてアニメーション８２を表示して画面を遷移させる。セットトップボックス１１と携帯端末１４とを連携させて操作する場合に、アニメーション８２から操作の実行結果を容易に視認できる。【選択図】図６
2015070538.tif 000002
【特許請求の範囲】
【請求項１】
コンテンツを再生するための信号を出力する映像処理装置と、前記映像処理装置を操作する携帯端末とからなる映像処理システムの画像表示方法であって、
前記携帯端末と前記映像処理装置とで連携処理を行う際に、前記携帯端末は、前記映像処理装置に連携指示を送信し、前記連携指示に呼応して前記映像処理装置から返される情報を受信し、
前記連携指示に含まれる情報と前記映像処理装置から返された情報とに基づいて、アニメーション効果を施して画面を遷移させる
ことを特徴とする画像表示方法。
【請求項２】
前記携帯端末と前記映像処理装置とで連携処理を行う際に、前記携帯端末は、前記携帯端末の表示画面を取り込み、前記取り込んだ画面を用いてアニメーション効果を施して画面を遷移させる
ことを特徴とする請求項１に記載の画像表示方法。
【請求項３】
前記携帯端末と前記映像処理装置とで連携処理を行う際に、前記映像処理装置は、前記携帯端末からの連携指示を受信すると、前記連携指示に呼応して前記携帯端末に情報を返し、前記受信した連携指示に含まれる情報に基づいて、アニメーション効果を施して画面を遷移させる
ことを特徴とする請求項１に記載の画像表示方法。
【請求項４】
前記携帯端末と前記映像処理装置とで連携処理を行う際に、前記携帯端末は、前記携帯端末の表示画面を取り込み、前記取り込んだ画面を用いてアニメーション効果を施して画面を遷移させると共に、前記取り込んだ画面を前記映像処理装置に送信し、
前記映像処理装置は、前記携帯端末から受信した前記取り込んだ画面を用いてアニメーション効果を施して画面を遷移させる
ことを特徴とする請求項２に記載の画像表示方法。
【請求項５】
前記連携指示は、アニメーションの同期要求を含み、
前記連携指示に前記アニメーションの同期要求がある場合には、前記映像処理装置は、アプリケーションプログラムの起動の準備の完了を待って、前記アプリケーションプログラムの起動準備完了を示す応答を前記携帯端末に送信すると共に、アニメーション効果を施して画面を遷移させ、
前記携帯端末は、前記携帯端末からの前記起動準備完了を示す応答の受信を待って、アニメーション効果を施して画面を遷移させる
ことを特徴とする請求項３又は４に記載の画像表示方法。
【請求項６】
前記連携指示は、前記映像処理装置のアプリケーションプログラムインターフェースを利用するものであることを特徴とする請求項１乃至５の何れかに記載の画像表示方法。
【請求項７】
コンテンツを再生するための信号を出力する映像処理装置と、前記映像処理装置を操作する携帯端末とからなる映像処理システムであって、
前記携帯端末は、
前記映像処理装置に連携指示を送信すると共に、前記連携指示に呼応して前記映像処理装置から返される情報を受信する通信手段と、
前記連携指示と前記映像処理装置から返された情報とに基づいてアニメーション効果を施して画面を遷移させる制御手段と
を含むことを特徴とする映像処理システム。
【請求項８】
映像処理装置に連携指示を送信すると共に、前記映像処理装置から返される情報を受信する通信手段と、
前記連携指示と前記連携指示に呼応して前記映像処理装置から返された情報とに基づいてアニメーション効果を施して画面を遷移させる制御手段と
を備えることを特徴とする携帯端末。
【請求項９】
コンテンツを再生するための信号を出力する映像処理装置を操作する携帯端末の操作プログラムであって、
前記映像処理装置に連携指示を送信するステップと、
前記連携指示に呼応して前記映像処理装置から返される情報を受信するステップと、
前記連携指示と前記映像処理装置から返された情報とに基づいてアニメーション効果を施して画面を遷移させるステップと
を含むことを特徴とするコンピュータにより実行可能な携帯端末の操作プログラム。
【発明の詳細な説明】
【技術分野】
【０００１】
本発明は、特に、ＣＡＴＶ（Ｃａｂｌｅ Ｔｅｌｅｖｉｓｉｏｎ）のシステムとして用いて好適な画像表示方法、映像処理システム、携帯端末、及び携帯端末の操作プログラムに関する。
【背景技術】
【０００２】
近年、地上波ディジタル放送、ＢＳ（Ｂｒｏａｄｃａｓｔｉｎｇ  Ｓａｔｅｌｌｉｔｅ）放送、ＣＳ（Ｃｏｍｍｕｎｉｃａｔｉｏｎ  Ｓａｔｅｌｌｉｔｅ）放送等のテレビジョン放送の視聴に加え、ネットワークを利用した各種コンテンツを受信できるセットトップボックスが登場している。また、ユーザの携帯端末を利用してセットトップボックスを操作できるようにしたり、携帯端末と連携させ、映画や音楽の配信、ショッピング、カラオケ、ゲーム等の各種の連携サービスを利用できるようにしたものが登場してきている（例えば特許文献１参照）。
【先行技術文献】
【特許文献】
【０００３】
【特許文献１】特表２０１２−５３２４９２号公報
【発明の概要】
【発明が解決しようとする課題】
【０００４】
上述のように、携帯端末を用いてセットトップボックスを操作する場合、１つのセットトップボックスに対して複数のユーザがそれぞれの携帯端末を用いて操作することが想定される。この場合、例えば、ユーザが携帯端末により操作を行っても、他のユーザの携帯端末の操作による処理が既に実行されていると、セットトップボックス側では処理を受け付けることができない。また、これまで、セットトップボックスのような機器を操作するコントローラーは、常に一つのリモコンのみであったため、制御された際にテレビに表示される画面遷移は、操作元の機器の違いを考慮したものとなってはいなかった。加えて、携帯端末上では、番組表アプリケーションプログラム、各テレビ局のおすすめ番組アプリケーションプログラム、ＳＮＳ（Ｓｏｃｉａｌ  Ｎｅｔｗｏｒｋｉｎｇ  Ｓｅｒｖｉｃｅ）と連動した番組おすすめアプリケーションプログラムなど、提供元の異なる、さまざまなアプリケーションプログラムが動作し、セットトップボックスに対して、制御を行うことが想定される。そのため、操作ミスがあった場合や、複数のユーザがそれぞれ機器を有している場合、複数のアプリケーションプログラムが動作している場合などに、意図せぬ端末からの操作を受け付けて制御されることにより、ユーザに混乱をきたす恐れがあった。
【０００５】
また、セットトップボックスのような機器の開発元と、携帯端末上のアプリケーションプログラムの開発元が異なるような場合、アプリケーションプログラムは、セットトップボックスの用意したＡＰＩ（Ａｐｐｌｉｃａｔｉｏｎ  Ｐｒｏｇｒａｍｍｉｎｇ  Ｉｎｔｅｒｆａｃｅ）を介して、セットトップボックスを制御することになる。そのため、リモコンからセットトップボックスに対して制御を行った際に、制御元たる携帯端末上の画面遷移（アニメーション含む）と、制御先のセットトップボックスでの画面遷移に統一感が無い場合、ユーザに操作の因果関係が分かりにくく、ユーザに混乱をきたす恐れがあった。
【０００６】
このため、携帯端末など、複数種類の機器やアプリケーションプログラムをリモートコントローラ上で動作させる場合には、操作元端末やアプリケーションプログラムと操作結果の因果関係を、テレビ画面・携帯端末上それぞれ連動した形で明示するとともに、その実行結果を、ユーザにわかりやすい形で知らせる必要がある。
【０００７】
上述の課題を鑑み、本発明は、映像処理装置と携帯端末とを連携させて操作する場合、操作の実行結果をユーザが容易に確認できるようにした画像表示方法、映像処理システム、携帯端末、及び携帯端末の操作プログラムを提供することを目的とする。
【課題を解決するための手段】
【０００８】
本発明に係る画像表示方法は、コンテンツを再生するための信号を出力する映像処理装置と、映像処理装置を操作する携帯端末とからなる映像処理システムの画像表示方法であって、携帯端末と映像処理装置とで連携処理を行う際に、携帯端末は、映像処理装置に連携指示を送信し、連携指示に呼応して映像処理装置から返される情報を受信し、連携指示に含まれる情報と映像処理装置から返された情報とに基づいて、アニメーション効果を施して画面を遷移させることを特徴とする。
【０００９】
本発明に係る映像処理システムは、コンテンツを再生するための信号を出力する映像処理装置と、映像処理装置を操作する携帯端末とからなる映像処理システムであって、携帯端末は、映像処理装置に連携指示を送信すると共に、連携指示に呼応して映像処理装置から返される情報を受信する通信手段と、連携指示と映像処理装置から返された情報とに基づいてアニメーション効果を施して画面を遷移させる制御手段と、を含むことを特徴とする。
【００１０】
本発明に係る携帯端末は、映像処理装置に連携指示を送信すると共に、映像処理装置から返される情報を受信する通信手段と、連携指示と連携指示に呼応して映像処理装置から返された情報とに基づいてアニメーション効果を施して画面を遷移させる制御手段と、を備えることを特徴とする。
【００１１】
本発明に係る携帯端末の操作プログラムは、コンテンツを再生するための信号を出力する映像処理装置を操作する携帯端末の操作プログラムであって、映像処理装置に連携指示を送信するステップと、映像処理装置から返される情報を受信するステップと、連携指示と連携指示に呼応して映像処理装置から返された情報とに基づいてアニメーション効果を施して画面を遷移させるステップとを含むことを特徴とする。
【発明の効果】
【００１２】
本発明によれば、映像処理装置と携帯端末とを連携させて操作する場合に、操作元の携帯端末上のアプリケーションプログラムから指示されたアニメーション方法・タイミングを、映像処理装置上で解釈することで、テレビ画面を携帯端末と連携した形で遷移させている。そのため、各ユーザは、操作元の携帯端末およびアプリケーションプログラムとテレビ画面の関係を、視覚的に確認できるという効果がある。
【００１３】
本発明によれば、映像処理装置と携帯端末とを連携させて操作する場合に、操作の実行結果に応じてキャプチャー画面をアニメーション表示している。このため、複数のユーザが各自の携帯端末で１つの映像処理装置を操作した場合、各ユーザは、どの携帯端末からも、どのアプリケーションプログラムが実行されたかを視覚的に確認できるという効果がある。
【図面の簡単な説明】
【００１４】
【図１】本発明に係る映像処理システムの構成を示すブロック図である。
【図２】セットトップボックスの概要を示すブロック図である。
【図３】携帯端末の概要を示すブロック図である。
【図４】セットトップボックスと携帯端末のプログラム構成を示すブロック図である。
【図５】本発明の第１の実施形態に係る映像処理システムの連携操作の説明図である。
【図６】本発明の第１の実施形態に係る映像処理システムの連携操作の説明図である。
【図７】本発明の第１の実施形態に係る映像処理システムの連携操作の説明図である。
【図８】本発明の第１の実施形態に係る映像処理システムの連携操作の説明図である。
【図９】本発明の第１の実施形態に係る映像処理システムの使用状態の説明図である。
【図１０】本発明の第１の実施形態に係るアニメーション効果プログラムの処理を示すフローチャートである。
【図１１】本発明の第１の実施形態に係る連携指示の説明図である。
【図１２】本発明の第２の実施形態に係る連携指示の説明図である。
【図１３】本発明の第２の実施形態に係るアニメーション効果プログラムの処理を示すフローチャートである。
【図１４】本発明の第２の実施形態に係る連携指示の説明図である。
【発明を実施するための形態】
【００１５】
以下、本発明の実施の形態について図面を参照しながら説明する。図１は、本発明に係る映像処理システムの構成を示すブロック図である。
【００１６】
図１において、ＣＡＴＶ（Ｃａｂｌｅ Ｔｅｌｅｖｉｓｉｏｎ）事業者設備１は、地上波ディジタル放送、ＢＳ（Ｂｒｏａｄｃａｓｔｉｎｇ Ｓａｔｅｌｌｉｔｅ）放送、ＣＳ（Ｃｏｍｍｕｎｉｃａｔｉｏｎ Ｓａｔｅｌｌｉｔｅ）放送等の放送波を受信し、ケーブル３を介して、各家庭４に配信している。なお、ＣＡＴＶ事業者設備１は、放送波を受信して配信するばかりでなく、独自の放送をケーブル３を介して各家庭４に配信することもできる。また、ケーブル３には、インターネット２のパケットデータが伝送される。
【００１７】
インターネット２上には、各種のコンテンツ提供サーバ５が設けられている。コンテンツ提供サーバ５は、ウェブページ、動画配信、音楽配信、カラオケ、ショッピング、ゲーム、ラジオ受信等の各種のサービスを提供するものが含まれる。
【００１８】
各家庭４には、セットトップボックス（映像処理装置）１１と、テレビジョン受像機１２とが設置されている。また、セットトップボックス１１を操作するためのリモートコントローラ１３と、セットトップボックス１１と連携動作を可能とするための携帯端末１４が設けられる。
【００１９】
セットトップボックス１１は、ケーブル３を介して送られてきた放送信号を受信し、これらの放送信号から放送コンテンツをデコードして、このデコードされたコンテンツを再生するためのビデオ信号をテレビジョン受像機１２に出力する。また、セットトップボックス１１は、受信した放送コンテンツを録画、再生することができる。また、本実施形態におけるセットトップボックス１１は、インターネット２を通じてコンテンツ提供サーバ５から送られてくるコンテンツをデコードして、テレビジョン受像機１２に出力することができる。また、本実施形態におけるセットトップボックス１１は、無線ＬＡＮのアクセスポイントとして機能する。更に、本実施形態におけるセットトップボックス１１には、各種のアプリケーションプログラムをインストールし、各種のアプリケーションプログラムに応じた処理を行わせることができる。
【００２０】
セットトップボックス１１とテレビジョン受像機１２とは、例えば、ＨＤＭＩ（登録商標）（ＨｉｇｈＤｅｆｉｎｉｔｉｏｎ Ｍｕｌｔｉｍｅｄｉａ Ｉｎｔｅｒｆａｃｅ）端子を介して接続されている。テレビジョン受像機１２は、セットトップボックス１１から出力されるビデオ信号に基づく画像を表示する。なお、セットトップボックス１１とテレビジョン受像機１２との接続は、ＨＤＭＩ端子に限らず、ビデオ端子、Ｓ端子、ＲＧＢ端子等、各種の端子により接続することができる。
【００２１】
リモートコントローラ１３は、セットトップボックス１１を操作するための専用リモコンである。セットトップボックス１１とリモートコントローラ１３との間は、近距離通信（例えば、Ｂｌｕｅｔｏｏｔｈ（登録商標））を用いて、双方向にコマンドやデータが送受される。なお、ここでは、セットトップボックス１１とリモートコントローラ１３との間を近距離通信で接続しているが、赤外線を用いるようにしても良い。また、セットトップボックス１１とリモートコントローラ１３との間を無線ＬＡＮで接続しても良い。
【００２２】
携帯端末１４は、スマートフォンやタブレットと呼ばれるような、ユーザの汎用の携帯端末である。すなわち、携帯端末１４は、ディスプレイ上に配置されたタッチパネルを備え、各種の動作をタッチパネルの操作により行うものである。なお、携帯端末１４としては、スマートフォンやタブレットに限らず、ＰＣ（ＰｅｒｓｏｎａｌＣｏｍｐｕｔｅｒ）やＰＤＡ（Ｐｅｒｓｏｎａｌ Ｄｉｇｉｔａｌ Ａｓｓｉｓｔａｎｔ）、ゲーム機等、各種のものを用いることもできる。
【００２３】
本システムでは、携帯端末１４に、セットトップボックス１１との連携動作を可能とするためのプログラムがインストールされる。これにより、携帯端末１４とセットトップボックス１１とを連携させた各種の操作を行うことができる。より具体的には、携帯端末１４とセットトップボックス１１との連携動作により、映画や音楽を配信したり、ショッピングやカラオケ、ゲーム等の各種のサービスを利用したりできる。また、テレビジョン受像機１２側と携帯端末１４側とにビデオコンテンツを切り替えて映し出したり、携帯端末１４の文字入力機能や音声入力機能を利用して視聴者が番組を検索したりすることができる。さらに、各種のアプリケーションプログラムを開発していくことにより、放送サービスとインターネット上のサービスとを融合させた各種のサービスを提供することが可能になる。
【００２４】
図２は、セットトップボックス１１の概要を示すブロック図である。図２に示すように、セットトップボックス１１は、チューナ５１、デコーダ５２、映像処理部５３、制御部５５、記憶部５６、無線ＬＡＮ（Ｌｏｃａｌ  Ａｒｅａ  Ｎｅｔｗｏｒｋ）部５７、近距離通信部５８により構成される。
【００２５】
図２において、入力端子５０は、ケーブル３を介して放送信号を入力する。前述したように、ケーブル３には、ＣＡＴＶ事業者設備１から、地上波テレビジョン放送、ＣＳ放送、ＢＳ放送等の放送信号が送られる。また、ケーブル３には、インターネット２のパケットデータが伝送される。
【００２６】
チューナ５１は、入力された放送信号の中から、所望の周波数帯域の信号を選択し、復調して、デコーダ５２に出力する。デコーダ５２は、チューナ５１の出力信号をデコードし、受信した放送信号に基づく映像信号を生成する。この映像信号は、映像処理部５３から、出力端子５４を介して出力される。出力端子５４は、例えば、ＨＤＭＩ端子である。なお、チューナ５１は、複数設けるようにしても良い。
【００２７】
制御部５５は、ＣＰＵ（Ｃｅｎｔｒａｌ  Ｐｒｏｃｅｓｓｉｎｇ  Ｕｎｉｔ）、ＲＯＭ（ＲｅａｄＯｎｌｙ Ｍｅｍｏｒｙ）、ＲＡＭ（ＲａｎｄｏｍＡｃｃｅｓｓ Ｍｅｍｏｒｙ）等を含み、セットトップボックス１１の動作を制御する。また、制御部５５は、記憶部５６に記録された各種のアプリケーションプログラムに基づいて各種の処理を行う。記憶部５６は、例えばＨＤＤ（ＨａｒｄＤｉｓｋ Ｄｒｉｖｅ）やＳＳＤ（ＳｏｌｉｄＳｔａｔｅ Ｄｒｉｖｅ）からなり、ダウンロードしたアプリケーションプログラムやコンテンツデータ、録画したビデオデータ等を記録するために用いられる。
【００２８】
無線ＬＡＮ部５７は、無線ＬＡＮ（ＩＥＥＥ８０２．１１ｂ／ｇ／ｎ）による通信を行うものである。セットトップボックス１１は、無線ＬＡＮ部５７により、インターネットのアクセスポイントとして機能する。また、セットトップボックス１１と携帯端末１４との間は、無線ＬＡＮ部５７により、無線でデータの送受が可能となる。近距離通信部５８は、例えば、Ｂｌｕｅｔｏｏｔｈ（登録商標）の通信を行うものである。セットトップボックス１１とリモートコントローラ１３との間は、近距離通信部５８により、無線でデータの送受が可能となる。
【００２９】
図３は、携帯端末１４の概要を示すブロック図である。図３に示すように、携帯端末１４は、通信部７０と、制御部７１と、記憶部７２と、表示部７３と、タッチパネル７４と、無線ＬＡＮ部７５とから構成される。
【００３０】
通信部７０は、基地局（図示せず）を介して、音声やデータの送受信を行っている。音声やデータの通信方式としては、ＣＤＭＡ（ＣｏｄｅＤｉｖｉｓｉｏｎ Ｍｕｌｔｉｐｌｅ Ａｃｃｅｓｓ）方式、ＷＣＤＭＡ（登録商標）（Ｗｉｄｅｂａｎｄ ＣＤＭＡ）方式、ＬＴＥ（ＬｏｎｇＴｅｒｍ Ｅｖｏｌｕｔｉｏｎ）方式等、各種のものが提案されている。通信部７０の方式は、どのようなものを用いても良い。
【００３１】
制御部７１は、ＣＰＵや、ＲＯＭ、ＲＡＭ等を含み、携帯端末１４の動作を制御する。また、制御部７１は、記憶部７２に記録された各種のアプリケーションプログラムに基づいて処理を行う。記憶部７２は、例えばフラッシュＲＡＭからなり、ダウンロードしたアプリケーションプログラムやコンテンツデータ、録画したビデオデータ等を記録するために用いられる。
【００３２】
表示部７３は例えばＬＣＤ（Ｌｉｑｕｉｄ Ｃｒｙｓｔａｌ Ｄｉｓｐｌａｙ）であり、各種の情報を表示する。また、タッチパネル７４は、表示部７３上に積層して設けられ、ユーザが指でタッチした座標に応じて、各種の情報を入力する。
【００３３】
無線ＬＡＮ部７５は、無線ＬＡＮ（ＩＥＥＥ８０２．１１ｂ／ｇ／ｎ）により、データの送受を行う。携帯端末１４とセットトップボックス１１とは、無線ＬＡＮ部７５により、無線でデータの送受が可能となる。なお、携帯端末１４は、この他、カメラ機能や、ＧＰＳ（Ｇｌｏｂａｌ  Ｐｏｓｉｔｉｏｎｉｎｇ  Ｓｙｓｔｅｍ）機能等、種々の機能を備えるようにしても良い。
【００３４】
次に、セットトップボックス１１と、携帯端末１４との間で連携動作を実現するためのプログラム構成について説明する。図４は、セットトップボックス１１と携帯端末１４のプログラム構成を示すものである。
【００３５】
図４に示すように、携帯端末１４には、連携基盤サービスプログラム１０１と、外部拡張ＡＰＩ（ＡｐｐｌｉｃａｔｉｏｎＰｒｏｇｒａｍ Ｉｎｔｅｒｆａｃｅ）１０２とが設けられる。これらのプログラムは、携帯端末１４側の記憶部７２に記憶され、制御部７１により実行される。
【００３６】
連携基盤サービスプログラム１０１は、セットトップボックス１１との連携動作を提供するためのプログラムである。連携基盤サービスプログラム１０１は、無線ＬＡＮ部７５による通信機能を含んでいる。携帯端末１４とセットトップボックス１１との間での、イベント情報、文字情報、及びメッセージの送受は、携帯端末１４側の連携基盤サービスプログラム１０１とセットトップボックス１１側の連携基盤サービスプログラム１５１とを通じて行われる。外部拡張ＡＰＩ１０２は、携帯端末１４とセットトップボックス１１とが連携して、テレビ系の機能を実行するプログラムのインターフェースを提供する。
【００３７】
また、携帯端末１４には、利用アプリケーションプログラム１０５ａ、１０５ｂ、１０５ｃ、１０５ｄが設けられる。
【００３８】
利用アプリケーションプログラム１０５ａは、外部拡張ＡＰＩ１０２のインターフェースの基に、テレビ系の連携機能を実行するアプリケーションプログラムである。テレビ系の連携機能を実行するアプリケーションプログラムには、チャンネル変更、予約投入、再生終了等、各種のテレビの操作を行うものも含んでいる。利用アプリケーションプログラム１０５ｂは、イベント情報を送るプログラムである。イベント情報には、キー操作イベント、マウス操作イベント、タッチイベント等がある。利用アプリケーションプログラム１０５ｃは、文字列情報を送るプログラムである。利用アプリケーションプログラム１０５ｄは、セットトップボックス１１側の利用アプリケーションプログラム１６５と通信するプログラムである。
【００３９】
セットトップボックス１１には、連携基盤サービスプログラム１５１と、拡張ＡＰＩ１５２と、連携エージェント１５３が設けられる。これらのプログラムは、セットトップボックス１１側の記憶部５６に記憶され、制御部５５により実行される。
【００４０】
連携基盤サービスプログラム１５１は、携帯端末１４との連携動作を提供するためのプログラムである。連携基盤サービスプログラム１５１は、無線ＬＡＮ部５７による無線ＬＡＮのアクセスポイントとしての機能を含んでいる。拡張ＡＰＩ１５２は、テレビ系機能を実現するプログラムとのインターフェースを提供する。連携エージェント１５３は、各種イベント情報の処理、文字列情報の処理等を行う。
【００４１】
ＨＯＭＥアプリケーションプログラム１６１、ＥＰＧアプリケーションプログラム１６２、拡張ＡＰＩ利用アプリケーションプログラム１６３は、拡張ＡＰＩ１５２のインターフェースにより処理を行うテレビ系プログラムである。ＨＯＭＥアプリケーションプログラム１６１は、基本となるＨＯＭＥ画面での各種の処理プログラムを提供する。ＥＰＧアプリケーションプログラム１６２は、電子番組情報を使った番組検索や録画予約等の各種の処理プログラムを提供する。拡張ＡＰＩ利用アプリケーションプログラム１６３は、その他、テレビ系のプログラムを提供する。
【００４２】
なお、携帯端末１４及びセットトップボックス１１に設けられるプログラムは一例であり、これに限定されるものではない。特に、利用アプリケーションプログラムについては、各種のものが想定される。ユーザは、各自の要望により、各種の利用アプリケーションプログラムを携帯端末１４及びセットトップボックス１１にインストールすることができる。
【００４３】
次に、本発明の第１の実施形態に係る連携操作の一例として、携帯端末１４で受信中のＶＯＤ（Ｖｉｄｅｏ  Ｏｎ  Ｄｅｍａｎｄ）番組を、携帯端末１４側からセットトップボックス１１側に引き継ぎ，テレビジョン受像機１２に表示させるような連携操作について、図５から図８を用いて説明する。
【００４４】
図５に示すように、携帯端末１４は、コンテンツ提供サーバ５から配信されてくるＶＯＤ番組８０を再生しており、また、このとき、セットトップボックス１１では、通常のテレビジョン放送を受信し、テレビジョン受像機１２には、このテレビジョン放送の受信番組９０が再生されているとする。ここで、ユーザが携帯端末１４の画面上を操作し、ＶＯＤ番組を携帯端末１４からセットトップボックス１１に引き継ぐような連携操作を行ったとする。このような操作が行われると、携帯端末１４では、このような連携操作のアプリケーションプログラムに関する連携指示が読み込まれ、このときのアプリケーション画面がキャプチャーされる。そして、携帯端末１４からセットトップボックス１１に、連携指示が送信される。
【００４５】
図６に示すように、セットトップボックス１１では、携帯端末１４からの連携指示が受信されると、受信した連携指示に含まれるメッセージが表示される。この例では、「お父さんのタブレットの続きから再生します」というメッセージ８１がテレビジョン受像機１２に表示される。そして、セットトップボックス１１から携帯端末１４には、連携動作が可能かどうかに応じて、応答が返送される。すなわち、連携動作が可能であれば、セットトップボックス１１から携帯端末１４に成功応答が返送され、連携動作が行えなければ、セットトップボックス１１から携帯端末１４に失敗応答が返送される。
【００４６】
セットトップボックス１１から送られてきた応答が携帯端末１４で受信されると、携帯端末１４は、この応答が成功応答か失敗応答かを判定し、連携指示及び受信した応答に基づいて、アニメーション表示を行う。また、携帯端末１４は、アニメーション表示がセットトップボックス１１にキャプチャー画像を必要とする場合、このキャプチャー画像をセットトップボックス１１に送信する。
【００４７】
この例では、セットトップボックス１１から携帯端末１４に成功応答が返送されている。この場合、図６に示すように、携帯端末１４は、成功応答のアニメーションとして、キャプチャー画像を上方にスロットアウト（全画面のキャプチャー画像が徐々に小さくなり小画像となる）するようなアニメーション８２を表示する。そして、携帯端末１４は、図７に示すように、ＶＯＤ画面を操作するようなリモコンのアプリケーションプログラムの画面８４を表示する。
【００４８】
また、図７に示すように、セットトップボックス１１は、携帯端末１４からのキャプチャー画像を受信して、アニメーション表示を行う。この例では、図７に示すように、セットトップボックス１１は、成功応答のアニメーションとして、携帯端末１４から送られてきたキャプチャー画像を下方からスロットイン（小画像のキャプチャー画像が徐々に大きくなり全画面表示となる）するようなアニメーション８３を表示する。そして、セットトップボックス１１は、コンテンツ提供サーバ５にＶＯＤ配信を要求する。
【００４９】
図８に示すように、コンテンツ提供サーバ５は、ユーザＩＤと携帯端末１４での再生の停止位置に基づいて、再生開始位置を判定し、その位置からＶＯＤの番組の配信を開始する。セットトップボックス１１は、この送られてきたＶＯＤの番組を再生して、テレビジョン受像機１２に送る。これにより、図８に示すように、テレビジョン受像機１２に、ＶＯＤ画面９１が表示されるようになり、携帯端末１４は、このＶＯＤ画面を操作するようなリモコンのアプリケーションプログラムの画面８４が表示されるようになる。
【００５０】
このように、本実施形態では、携帯端末１４からセットトップボックス１１にアプリケーションプログラムを引き継ぐ際に、携帯端末１４側では、図６に示したように、キャプチャー画像が上方からスロットアウトするようなアニメーション８２が表示される。また、テレビジョン受像機１２側では、図７に示したように、携帯端末１４から送られてきたキャプチャー画像が下方からスロットインするようなアニメーション８３が表示される。これにより、ユーザは、携帯端末１４側からテレビジョン受像機１２にＶＯＤ画面が引き継がれるような連携操作を視覚的に確認できる。また、本実施形態では、携帯端末１４側とセットトップボックス１１側とで、統一感のあるアニメーションを表示することができる。
【００５１】
また、本システムでは、図９に示すように、例えば、各家庭で１台のセットトップボックス１１とテレビジョン受像機１２とが設置され、このセットトップボックス１１に対して、複数のユーザがそれぞれの携帯端末１４ａ、１４ｂ、１４ｃ、…を用いて操作することが想定される。この場合、複数の携帯端末１４ａ、１４ｂ、１４ｃ、…から、１つのセットトップボックス１１に対して、情報が送信される。この場合、ユーザの携帯端末１４ａ、１４ｂ、１４ｃ、…によりテレビ系の操作を行っても、他のユーザの携帯端末の操作の影響により、所望の動作に設定できないことがある。本実施形態では、セットトップボックス１１に対する操作が行われたとき、アニメーション効果により、どの携帯端末１４ａ、１４ｂ、１４ｃ…による操作が実行されたかを視覚的に確認できる。
【００５２】
図１０は、本発明の第１の実施形態に係る連携操作のアニメーション効果を実現するための携帯端末１４側及びセットトップボックス１１側の処理を示すフローチャートである。図１０に示すように、携帯端末１４側の連携基盤サービスプログラム１０１は、アプリケーションプログラムから連携指示を読み込み、パラメータを取得する（ステップＳ１０１）。アプリケーションプログラムは、拡張ＡＰＩ１５２のインターフェースにより処理を行うプログラムである。
【００５３】
図１１に示すように、連携指示には、携帯端末１４側の処理内容と、セットトップボックス１１側に送信する指示内容とが含まれる。携帯端末１４側の処理内容としては、「成功応答受信時のアニメーション種別及び方向」、「失敗応答受信時のアニメーション種別及び方向」、「応答受信時に起動するアプリケーション又は応答受信時のリモコンモード遷移」、「キャプチャー画像送信の有無」の情報が含まれている。また、セットトップボックス１１側に送信する指示内容としては、「キャプチャー画像の利用有無及びアニメーション種別」、「指示送出元のアプリケーション名」、「アクション」、「指示送出先のアプリケーション」、「連携時に表示するメッセージ」の情報が含まれている。
【００５４】
例えば、図５〜図８で示した携帯端末１４側からセットトップボックス１１側にＶＯＤ番組を引き継ぐような連携操作のアプリケーションプログラムの場合、携帯端末１４側の処理内容及びセットトップボックス１１に送信する操作内容は、図１２に示すようになる。
【００５５】
すなわち、図１２に示すように、「携帯端末１４側の成功応答受信時のアニメーション種別及び方向」の内容は「上方にスロットアウト」となり、「失敗応答受信時のアニメーション種別及び方向」の内容は「上方からスロットインして、元のＶＯＤ画面に戻す」となり、「応答受信時に起動するアプリケーション又は応答受信時のリモコンモード遷移」の内容は「ＶＯＤリモコンの起動」となり、「キャプチャー画像送信の有無」の内容は「送信あり」となる。また、「キャプチャー画像の利用有無及びアニメーション種別」の内容は「利用あり、下方からスロットイン」となり、「指示送出元のアプリケーション名」の内容は「Ｔａｂｌｅｔ  ＶＯＤ」となり、「アクション」の内容は「ＶＯＤ起動、ＶＯＤコンテントのＩＤ、途中から再生を行う」となり、「指示送出先のアプリケーション」の内容は「ＳＴＢＶＯＤ」となり、「連携時に表示するメッセージ」の内容は「お父さんのタブレットの続きから再生します」となる。
【００５６】
前述した携帯端末１４側からセットトップボックス１１側にＶＯＤ番組を引き継ぐような連携操作のアプリケーションプログラムの場合、ステップＳ１０１で、図１２に示したような内容のパラメータが取得される。
【００５７】
次に、携帯端末１４側の連携基盤サービスプログラム１０１は、アプリケーションプログラムの画面をキャプチャーし（ステップＳ１０２）、セットトップボックス１１の連携基盤サービスプログラム１５１に連携指示を送信する（ステップＳ１０３）。
【００５８】
セットトップボックス１１側の連携基盤サービスプログラム１５１は、ステップＳ１０３で、携帯端末１４から送信された連携指示を受信すると（ステップＳ２０１）、連携動作が可能であるかどうかを判定する（ステップＳ２０２）。そして、セットトップボックス１１側の連携基盤サービスプログラム１５１は、連携動作が可能であれば（ステップＳ２０２  Ｙｅｓ）、成功応答を携帯端末１４に送信し（ステップＳ２０３）、連携動作が不可能であれば（ステップＳ２０２  Ｎｏ）、失敗応答を携帯端末１４に送信する（ステップＳ２０４）。
【００５９】
携帯端末１４側の連携基盤サービスプログラム１０１は、セットトップボックス１１から送られてくる応答を受信する（ステップＳ１０４）。そして、携帯端末１４側の連携基盤サービスプログラム１０１は、連携指示に基づいて、セットトップボックスに対するキャプチャー画像の送信要求の有無を判定する（ステップＳ１０５）。ここで、キャプチャー画像の送信要求の有る場合には（ステップＳ１０５  Ｙｅｓ）、携帯端末１４側の連携基盤サービスプログラム１０１はセットトップボックス１１に、キャプチャー画像を送信する（ステップＳ１０６）。例えば、前述した携帯端末１４側からセットトップボックス１１側にＶＯＤ番組を引き継ぐような連携操作のアプリケーションプログラムの場合、図１２に示したように、「キャプチャー画像送信の有無」のパラメータは「送信あり」となっている。したがって、この場合、ステップＳ１０２で取得されたキャプチャー画像がセットトップボックス１１に送信される。
【００６０】
セットトップボックス１１側の連携基盤サービスプログラム１５１は、ステップＳ２０３で成功応答を携帯端末１４に送信した後、キャプチャー画像の要求の有無を判定し（ステップＳ２０５）、キャプチャー画像が必要な場合には（ステップＳ２０５  Ｙｅｓ）、携帯端末１４からのキャプチャー画像を受信する（ステップＳ２０６）。
【００６１】
また、携帯端末１４の連携基盤サービスプログラム１０１は、ステップＳ１０４で受信したセットトップボックス１１からの応答結果内容が成功応答か失敗応答かを判定する（ステップＳ１０７）。そして、携帯端末１４側の連携基盤サービスプログラム１０１は、セットトップボックス１１から送られてきた応答結果内容が成功応答の場合（ステップＳ１０７  Ｙｅｓ）、連携指示に基づいて、キャプチャー画像を用いて、成功時のアニメーションを実行し（ステップＳ１０８）、成功時の画面遷移に従い、携帯端末の画面を制御する（ステップＳ１０９）。
【００６２】
例えば、前述した携帯端末１４側からセットトップボックス１１側にＶＯＤ番組を引き継ぐような連携操作のアプリケーションプログラムの場合、図１２に示したように、「成功応答受信時のアニメーション種別及び方向」のパラメータは「上方にスロットアウト」となっている。したがって、成功応答の場合、ステップＳ１０８で、図６に示したように、キャプチャー画像が上方にスロットアウトするようなアニメーション８２が携帯端末１４に表示される。また、図１２に示したように、「応答受信時に起動するアプリケーション又は応答受信時のリモコンモード遷移」のパラメータは「ＶＯＤリモコンの起動」となっている。したがって、成功応答の場合、ステップＳ１０９で、図７に示したように、携帯端末１４にはＶＯＤリモコンのアプリケーションプログラムの画面８４が表示される。
【００６３】
また、セットトップボックス１１の連携基盤サービスプログラム１５１は、連携動作が可能な場合、ステップＳ１０３で携帯端末１４から送られてきた連携指示に基づいて、メッセージを表示し（ステップＳ２０７）、アニメーションを実行し（ステップＳ２０８）、画面遷移に従い、テレビジョン受像機１２に表示する画面を制御する（ステップＳ２０９）。
【００６４】
例えば、前述した携帯端末１４側からセットトップボックス１１側にＶＯＤ番組を引き継ぐような連携操作のアプリケーションプログラムの場合、図１２に示したように、「連携時に表示するメッセージ」のパラメータは「お父さんのタブレットの続きから再生します」となっている。したがって、ステップＳ２０７で、図６及び図７に示したように、テレビジョン受像機１２に、「お父さんのタブレットの続きから再生します」というメッセージ８１が表示される。また、図１２に示したように、「キャプチャー画像の利用有無及びアニメーション種別」のパラメータは「利用あり、下方からスロットイン」となっている。したがって、テレビジョン受像機１２には、ステップＳ２０８で、図７に示したように、キャプチャー画像が下方からスロットインするようなアニメーション８３が表示される。また、図１２に示したように、「アクション」のパラメータは「ＶＯＤ起動、ＶＯＤコンテンツのＩＤ、途中から再生を行う」となっている。したがって、ステップＳ２０９で、図８に示したように、コンテンツ提供サーバ５がアクセスされ、携帯端末１４の再生位置の途中から、テレビジョン受像機１２に、ＶＯＤ画面９１が表示される。
【００６５】
これに対して、セットトップボックス１１から送られてきた応答結果内容が失敗応答の場合（ステップＳ１０７  Ｎｏ）、携帯端末１４側の連携基盤サービスプログラム１０１は、連携指示に基づいて、失敗時のアニメーションを実行する（ステップＳ１１０）。例えば、前述した携帯端末１４側からセットトップボックス１１側にＶＯＤ番組を引き継ぐような連携操作のアプリケーションプログラムの場合、図１２に示したように、「失敗応答受信時のアニメーション種別及び方向」のパラメータは「上方からスロットインして、元のＶＯＤ画面に戻す」となっている。したがって、失敗応答の場合、携帯端末１４には、キャプチャー画像が上方からスロットインするようなアニメーションが表示されてから、元のＶＯＤ画面が表示される。なお、セットトップボックス１１側の連携基盤サービスプログラム１５１は、ステップＳ２０２で連携動作が不可能と判定した場合、ステップＳ２０４で失敗応答を送信した後、そのまま処理をリターンする。したがって、セットトップボックス１１では、それまでの動作が継続される。
【００６６】
なお、上述の例では、キャプチャー画像がスロットアウト及びスロットインするようなアニメーションを表示させているが、アニメーションは、これに限定されるものではない。ワイプ、スライドイン、ディゾルブ等、どのようなアニメーションを表示しても良い。
【００６７】
また、携帯端末１４で操作できるテレビ系のアプリケーションプログラムとしては、チャンネル変更、予約投入、再生終了等、各種の操作を行うものも含んでいる。この場合、チャンネル変更、予約投入、再生終了等、制御内容に応じて、アニメーションの種類や、動き方を変更するようにしても良い。
【００６８】
また、携帯端末１４でアニメーション画面を表示させる際に、セットトップボックス１１からテレビジョン受像機１２に、携帯端末１４に表示するアニメーション画面を表示する信号を出力するようにしても良い。
【００６９】
以上説明したように、本発明の第１実施形態では、携帯端末１４とセットトップボックス１１とを連携操作させる際に、セットトップボックス１１に連携指示を送信し、連携指示とその返り値に基づいて、アニメーション表示している。このため、ユーザが携帯端末１４で行った操作を、ユーザが視覚的に確認できる。
【００７０】
次に、本発明の第２の実施形態について説明する。この実施形態は、携帯端末１４からセットトップボックス１１に、同期要求を含めて連携指示を送信することにより、セットトップボックス１１と携帯端末１４とで、タイミングを同期させてアニメーションを表示させることができるようにしている。なお、他の構成いついては、前述の第１の実施形態と同様である。
【００７１】
つまり、携帯端末１４からの指示に応じて、セットトップボックス１１がアプリケーションプログラムを起動させる際に、アプリケーションプログラムの種類によっては、起動に時間がかかる場合がある。例えば、ゲームのアプリケーションプログラムでは、起動時にデータ読み込み処理が行われる。また、ビデオオンデマンドのアプリケーションプログラムでは、起動時にバッファリング処理が行われる。ゲームのアプリケーションプログラムの起動時のデータの読み込み処理や、ビデオオンデマンドのアプリケーションプログラムのバッファリング処理には、かなりの時間がかかる。
【００７２】
前述の第１の実施形態では、連携処理により画面を遷移させる際に、携帯端末１４側の連携基盤サービスプログラム１０１は、セットトップボックス１１からの応答を受信すると、アニメーションを表示して、次画面に遷移させる。これに対して、セットトップボックス１１側の連携基盤サービスプログラム１５１は、応答を送信した後、メッセージを表示し、アプリケーションプログラムの起動処理を待って、アニメーションを表示させる。したがって、セットトップボックス１１がアプリケーションプログラムを起動させる際に、起動時間が長くなると、携帯端末１４側で表示されるアニメーションと、セットトップボックス１１側で表示されるアニメーションとに時間差が生じてくる。すなわち、携帯端末１４側ではアニメーションが完了した状態になっているのに、セットトップボックス１１側では、アプリケーションプログラムの遷移待ちのメッセージが表示されるような状態となることがある。このような状態では、ユーザは、携帯端末１４からセットトップボックス１１にスムーズな連携処理が行われたと感じられず、アプリケーションプログラムの種別によっては、ユーザに余計に処理遅延を感じさせる結果となる。
【００７３】
そこで、この実施形態では、携帯端末１４からセットトップボックス１１に対して指示を送る際に、携帯端末１４は、連携指示に「同期要求」を含めて送信する。セットトップボックス１１は、携帯端末１４からの連携指示を受信し、この連携指示の中に同期要求が含まれている場合、データ読み込やバッファリング等、アプリケーションプログラムの起動に必要な準備を先に実施し、それが完了した後、携帯端末１４に対して、準備が完了した旨を示す応答を返す。携帯端末１４は、このセットトップボックス１１からの応答を待って、アニメーションを実施する。これにより、携帯端末１４側とセットトップボックス１１側とで、アプリケーションプログラムの起動のタイミングを合わせた処理を行うことが可能となる。
【００７４】
図１３は、本発明の第２の実施形態におけるアニメーション効果プログラムの処理を示すフローチャートであり、図１４は、本発明の第２の実施形態における連携指示を示す説明図である。
【００７５】
図１３において、携帯端末１４側の連携基盤サービスプログラム１０１は、アプリケーションプログラムから連携指示を読み込み、パラメータを取得する（ステップＳ５０１）。アプリケーションプログラムは、拡張ＡＰＩ１５２のインターフェースにより処理を行うプログラムである。図１４に示すように、本発明の第２の実施形態では、連携指示に「同期要求」の情報が含まれている。「同期要求」の内容は、「同期要求の有無」である。
【００７６】
次に、携帯端末１４側の連携基盤サービスプログラム１０１は、アプリケーションプログラムの画面をキャプチャーし（ステップＳ５０２）、セットトップボックス１１の連携基盤サービスプログラム１５１に連携指示を送信する（ステップＳ５０３）。
【００７７】
セットトップボックス１１側の連携基盤サービスプログラム１５１は、ステップＳ５０３で、携帯端末１４から送信された連携指示を受信すると（ステップＳ６０１）、連携動作が可能であるかどうかを判定する（ステップＳ６０２）。そして、セットトップボックス１１側の連携基盤サービスプログラム１５１は、連携動作が可能であれば（ステップＳ６０２  Ｙｅｓ）、成功応答を携帯端末１４に送信し（ステップＳ６０３）、連携動作が不可能であれば（ステップＳ６０２  Ｎｏ）、失敗応答を携帯端末１４に送信する（ステップＳ６０４）。
【００７８】
携帯端末１４側の連携基盤サービスプログラム１０１は、セットトップボックス１１から送られてくる応答を受信する（ステップＳ５０４）。そして、携帯端末１４側の連携基盤サービスプログラム１０１は、連携指示に基づいて、セットトップボックス１１に対するキャプチャー画像の送信要求の有無を判定する（ステップＳ５０５）。ここで、キャプチャー画像の送信要求の有る場合には（ステップＳ５０５  Ｙｅｓ）、携帯端末１４側の連携基盤サービスプログラム１０１はセットトップボックス１１に、キャプチャー画像を送信する（ステップＳ５０６）。
【００７９】
セットトップボックス１１側で連携動作可能な場合（ステップＳ６０２  Ｙｅｓ）セットトップボックス１１側の連携基盤サービスプログラム１５１は、ステップＳ６０３で成功応答を携帯端末１４に送信した後、キャプチャー画像の要求の有無を判定し（ステップＳ６０５）、キャプチャー画像が必要な場合には（ステップＳ６０５  Ｙｅｓ）、携帯端末１４からのキャプチャー画像を受信する（ステップＳ６０６）。そして、セットトップボックス１１の連携基盤サービスプログラム１５１は、携帯端末１４から送られてきた連携指示に基づいて、メッセージを表示する（ステップＳ６０７）。
【００８０】
一方、携帯端末１４の連携基盤サービスプログラム１０１は、ステップＳ５０４で受信したセットトップボックス１１からの応答結果内容が成功応答か失敗応答かを判定する（ステップＳ５０７）。そして、携帯端末１４側の連携基盤サービスプログラム１０１は、セットトップボックス１１から送られてきた応答結果内容が成功応答の場合（ステップＳ５０７  Ｙｅｓ）、同期要求の有無を判定する（ステップＳ５０８）。
【００８１】
同期要求がありの場合（ステップＳ５０８  Ｙｅｓ）、携帯端末１４の連携基盤サービスプログラム１０１は、セットトップボックス１１からの応答を待つ（ステップＳ５０９）。そして、セットトップボックス１１からの応答を受信した後、成功時のアニメーションを実行し（ステップＳ５１０）、成功時の画面遷移に従い、携帯端末の画面を制御する（ステップＳ５１１）。
【００８２】
同期要求なしの場合（ステップＳ５０８  Ｎｏ）、携帯端末１４の連携基盤サービスプログラム１０１は、連携指示に基づいて、キャプチャー画像を用いて、成功時のアニメーションを実行し（ステップＳ５１０）、成功時の画面遷移に従い、携帯端末の画面を制御する（ステップＳ５１１）。
【００８３】
また、セットトップボックス１１から送られてきた応答結果内容が失敗応答の場合（ステップＳ５０７  Ｎｏ）、携帯端末１４側の連携基盤サービスプログラム１０１は、連携指示に基づいて、失敗時のアニメーションを実行する（ステップＳ５１２）。
【００８４】
一方、セットトップボックス１１の連携基盤サービスプログラム１５１は、連携動作が可能な場合、ステップＳ６０７でメッセージを表示した後、携帯端末１４から送られてきた連携指示の内容（図１４参照）から、同期要求の有無を判定する（ステップＳ６０８）。
【００８５】
同期要求がある場合（ステップＳ６０８  Ｙｅｓ）、セットトップボックス１１の連携基盤サービスプログラム１５１は、アプリケーションプログラムの起動を準備し（ステップＳ６０９）、アプリケーションプログラムの起動の準備が完了したら、準備完了を示す応答を携帯端末１４に送信する（ステップＳ６１０）。そして、セットトップボックス１１の連携基盤サービスプログラム１５１は、アニメーションを実行し（ステップＳ６１１）、画面遷移に従い、テレビジョン受像機１２に表示する画面を制御する（ステップＳ６１２）。前述したように、携帯端末１４側では、同期要求がある場合（ステップＳ５０８  Ｙｅｓ）、ステップＳ５０９で、セットトップボックス１１からの応答を待ち、セットトップボックス１１からの応答を受信した後、ステップＳ５１０で、アニメーションを実行する。したがって、この場合、携帯端末１４側とセットトップボックス１１側とでは、同期して、アニメーションが実行されことになる。
【００８６】
同期要求がない場合（ステップＳ６０８  Ｎｏ）、セットトップボックス１１の連携基盤サービスプログラム１５１は、アニメーションを実行し（ステップＳ６１１）、画面遷移に従い、テレビジョン受像機１２に表示する画面を制御する（ステップＳ６１２）。
【００８７】
このように、本発明の第２の実施形態では、携帯端末１４側からセットトップボックス１１側に送信される連携指示に「同期要求の有無」の情報が含められる。そして、同期要求がある場合、セットトップボックス１１側は、アプリケーションプログラムの起動の準備が完了したら、準備完了を示す応答を携帯端末１４に送信し、携帯端末１４側は、セットトップボックス１１からの応答を待ち、セットトップボックス１１からの応答を受信後、アニメーションを実行している。これにより、携帯端末１４側とセットトップボックス１１側とで、同期してアニメーションを実行させることができる。
【００８８】
本発明は、上述した実施形態に限定されるものではなく、この発明の要旨を逸脱しない範囲内で様々な変形や応用が可能である。
【符号の説明】
【００８９】
１：ＣＡＴＶ事業者設備
５：コンテンツ提供サーバ
１１：セットトップボックス（映像処理装置）
１２：テレビジョン受像機
１３：リモートコントローラ
１４，１４ａ〜１４ｃ：携帯端末
１０１：連携基盤サービスプログラム
１０２：外部拡張ＡＰＩ
１０５ａ〜１０５ｄ：アプリケーションプログラム
１５１：連携基盤サービスプログラム
１５２：拡張ＡＰＩ
１５３：連携エージェント
１６１：ＨＯＭＥアプリケーションプログラム
１６２：ＥＰＧアプリケーションプログラム
１６３：拡張ＡＰＩ利用アプリケーションプログラム
１６５：利用アプリケーションプログラム
【図１】
2015070538.tif 000003
【図２】
2015070538.tif 000004
【図３】
2015070538.tif 000005
【図４】
2015070538.tif 000006
【図９】
2015070538.tif 000007
【図１０】
2015070538.tif 000008
【図１１】
2015070538.tif 000009
【図１２】
2015070538.tif 000010
【図１３】
2015070538.tif 000011
【図１４】
2015070538.tif 000012
【図５】
2015070538.tif 000013
【図６】
2015070538.tif 000014
【図７】
2015070538.tif 000015
【図８】
2015070538.tif 000016
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
コンテンツを再生するための信号を出力する映像処理装置と、前記映像処理装置を操作する携帯端末と、コンテンツ配信サーバとを含む映像処理システムの画像表示方法であって、
前記携帯端末と前記映像処理装置とで連携処理を行う際に、前記携帯端末は、前記映像処理装置に前記コンテンツ配信サーバからコンテンツの受信処理を引き継ぐための連携指示を送信し、前記連携指示に呼応して前記映像処理装置から前記コンテンツ配信サーバより返されたコンテンツの受信処理の可否に関する情報を受信し、
前記連携指示に含まれる情報と前記コンテンツの受信処理の可否に関する情報とに基づいて、アニメーション効果を施して前記携帯端末の画面を遷移させることを特徴とする画像表示方法。
【請求項２】
テレビ受信機を含み、
前記連携指示に含まれる情報と前記映像処理装置から前記コンテンツ配信サーバより返されたコンテンツの受信処理の可否に関する情報とに基づいて、前記携帯端末にはキャプチャ画像をスロットアウトするアニメーション効果を施した画面を表示し、前記映像処理装置には、前記キャプチャ画像をスロットインするアニメーション効果を施した画面を前記テレビ受信機に表示するよう遷移させる請求項１に記載の画像表示方法。
【請求項３】
前記連携指示は、アニメーションの同期要求を含み、
前記連携指示に前記アニメーションの同期要求がある場合には、前記映像処理装置は、前記アニメーションの同期の準備の完了を待って、前記アニメーションの同期準備完了を示す応答を前記携帯端末に送信すると共に、アニメーション効果を施して画面を遷移させ、
前記携帯端末は、前記映像処理装置からの前記同期準備完了を示す応答の受信を待って、アニメーション効果を施して画面を遷移させる
ことを特徴とする請求項１又は２に記載の画像表示方法。
【請求項４】
前記連携指示は、アニメーションの同期要求を含み、
前記連携指示に前記アニメーションの同期要求がある場合には、前記映像処理装置は、アプリケーションプログラムの起動の準備の完了を待って、前記アプリケーションプログラムの起動準備完了を示す応答を前記携帯端末に送信すると共に、アニメーション効果を施して画面を遷移させ、
前記携帯端末は、前記映像処理装置からの前記起動準備完了を示す応答の受信を待って、アニメーション効果を施して画面を遷移させる
ことを特徴とする請求項１又は２に記載の画像表示方法。
【請求項５】
前記連携指示は、前記映像処理装置のアプリケーションプログラムインターフェースを利用するものであることを特徴とする請求項１乃至請求項４に記載の画像表示方法。
【請求項６】
コンテンツを再生するための信号を出力する映像処理装置と、前記映像処理装置を操作する携帯端末と、コンテンツ配信サーバとを含む映像処理システムであって、
前記携帯端末と前記映像処理装置とで連携処理を行う際に、
前記携帯端末は、
前記映像処理装置に前記コンテンツ配信サーバからコンテンツの受信処理を引き継ぐための連携指示を送信すると共に、前記連携指示に呼応して前記映像処理装置から前記コンテンツ配信サーバにより返されたコンテンツの受信処理の可否に関する情報を受信する通信手段と、
前記連携指示に含まれる情報と前記コンテンツの受信処理の可否に関する情報とに基づいて、アニメーション効果を施して前記携帯端末の画面を遷移させる制御手段と、
を含むことを特徴とする映像処理システム。
【請求項７】
コンテンツを再生するための信号を出力する映像処理装置と、前記映像処理装置を操作する携帯端末と、コンテンツ配信サーバとを含む映像処理システムの画像表示方法をコンピュータに実行させるためのプログラムであって、
前記携帯端末と前記映像処理装置とで連携処理を行う際に、
前記携帯端末が、前記映像処理装置に前記コンテンツ配信サーバからコンテンツの受信処理を引き継ぐための連携指示を送信する第１のステップと、
前記携帯端末が、前記連携指示に呼応して前記映像処理装置から前記コンテンツ配信サーバにより返されたコンテンツの受信処理の可否に関する情報を受信する第２のステップと、
前記携帯端末が、前記連携指示に含まれる情報と前記コンテンツの受信処理の可否に関する情報とに基づいて、アニメーション効果を施して前記携帯端末の画面を遷移させる第３のステップと、
を含むことを特徴とするプログラム。